(57)【要約】  ピペッティングシステムに連結し、ピペッティングシステムにて用いる一体型モータカートリッジ（２）は、ハウジング（４）と、案内管（１４）と、複数の永久磁石（１８）を備え、圧力管対向面および圧力管遠位面を有し、案内管内に配置され、案内管に対して少なくとも１つの封止部（２４）を有するピストン（１６）と、電力がコイルアセンブリに供給されるとピストンを案内管内で移動させるコイルアセンブリ（２０）とを備える。案内管、ピストンおよびコイルアセンブリは、ハウジング内に配置される。一体型モータカートリッジは、ピストンの圧力管対向面上の案内管をピペッティングシステムの圧力管に気密に連結できる圧力管連結部（６）およびコイルアセンブリに結合され、一体型モータカートリッジの外側に配置された電源に結合されるように適合された電力接続部（８）をさらに備える。一体型モータカートリッジは、単一体としてピペッティングシステムとの間で導入および取り外しが可能である。【選択図】図２
2020531243.tif 000002
【特許請求の範囲】
【請求項１】
ピペッティングシステムに連結し、ピペッティングシステムにて用いる一体型モータカートリッジ（２）であって、
ハウジング（４）と、
案内管（１４）と、
複数の永久磁石（１８）を備えるピストン（１６）であって、圧力管対向面および圧力管遠位面を有し、前記案内管内に配置され、前記案内管に対して少なくとも１つの封止部（２４）を有する、ピストン（１６）と、
電流が供給されると、前記ピストンを前記案内管の中で移動させるコイルアセンブリ（２０）と、を備え、
前記案内管、前記ピストンおよび前記コイルアセンブリは、前記ハウジング内に配置され、
前記一体型モータカートリッジは、
前記圧力管対向面上の前記案内管を気密に前記ピペッティングシステムの圧力管に連結可能な圧力管連結部（６）と、
前記コイルアセンブリに結合され、前記一体型モータカートリッジの外側に配置された電源に結合されるように適合された電力接続部（８）と、をさらに備え、
前記一体型モータカートリッジは、単一体として、前記ピペッティングシステムとの間で導入および取り外し可能である、一体型モータカートリッジ（２）。
【請求項２】
前記圧力管連結部（６）は、前記ピペッティングシステムに対して前記一体型モータカートリッジの位置を固定する設計とされている、
請求項１に記載の一体型モータカートリッジ（２）。
【請求項３】
前記圧力管連結部（６）は、前記圧力管のモータ対向面に対する受け口を有する、
請求項１または２に記載の一体型モータカートリッジ（２）。
【請求項４】
前記受け口は、前記圧力管の周囲に配置されたＯリング用の接触面を有する、
請求項３に記載の一体型モータカートリッジ（２）。
【請求項５】
前記電力接続部（８）は、プリント回路として設計されている、
請求項１から４のいずれか一項に記載の一体型モータカートリッジ（２）。
【請求項６】
前記プリント回路は、前記ハウジング（４）内に前記案内管（１４）に沿って配設され、かつ／または前記一体型モータカートリッジの圧力管遠位端部（４２）の前記ハウジング（４）を貫通している、
請求項５に記載の一体型モータカートリッジ（２）。
【請求項７】
、前記ピストン（１６）の位置を判定するために、前記案内管（１４）に沿って前記ハウジング（４）内に配置された複数の磁界センサ（２２）をさらに備える、
請求項１から６のいずれか一項に記載の一体型モータカートリッジ（２）。
【請求項８】
前記複数の磁界センサ（２２）に結合され、前記一体型モータカートリッジの外側に配置された前記ピペッティングシステムの制御ユニットに結合されるように適合されたセンサデータ接続部（１０）をさらに備える、
請求項７に記載の一体型モータカートリッジ（２）。
【請求項９】
メモリ要素（３６）をさらに備え、
前記メモリ要素は、好ましくは校正データを包含し、
前記校正データは、前記磁界センサ（２２）の測定値と前記ピストン（１６）の位置との間の相関関係を記述する、
請求項７または８に記載の一体型モータカートリッジ（２）。
【請求項１０】
前記校正データは、前記磁界センサ（２２）の前記測定値に関する前記コイルアセンブリ（２０）の電流の流れの影響の記述をさらに含む、
請求項９に記載の一体型モータカートリッジ（２）。
【請求項１１】
前記校正データは、前記ピペッティングシステムの制御ユニットにて読み出されるように適合されている、
請求項９または１０に記載の一体型モータカートリッジ（２）。
【請求項１２】
前記コイルアセンブリ（２０）は、前記案内管（１４）の周囲に円形に配置された複数のコイルを備える、
請求項１から１１のいずれか一項に記載の一体型モータカートリッジ（２）。
【請求項１３】
前記ハウジング（４）は、軟磁性材、具体的には軟磁性ニッケル鉄合金製である、
請求項１から１２のいずれか一項に記載の一体型モータカートリッジ（２）。
【請求項１４】
前記ハウジング（４）のサイズは、前記ピペッティングシステムの格子、具体的には標準格子状に適合されている、
請求項１から１３のいずれか一項に記載の一体型モータカートリッジ（２）。
【請求項１５】
前記ハウジング（４）は、ほぼ矩形の断面を有し、かつ／または前記ハウジング（４）は、５０ｍｍ２〜２００ｍｍ２、具体的には１００ｍｍ２〜１５０ｍｍ２、さらにより具体的には１３０ｍｍ２〜１４０ｍｍ２の断面積を有する、
請求項１から１４のいずれか一項に記載の一体型モータカートリッジ（２）。
【請求項１６】
前記ピストン（１６）は、前記圧力管対向面上の前記案内管（１４）に対して封止部（２４）を有する、
請求項１から１５のいずれか一項に記載の一体型モータカートリッジ（２）。
【請求項１７】
前記ピストン（１６）の全走行路は、前記ハウジング（４）内である、
請求項１から１６のいずれか一項に記載の一体型モータカートリッジ（２）。
【請求項１８】
前記ピストン用ストッパ、エアフィルタ、または一体型ストッパ／エアフィルタユニット（３０）は、前記案内管（１４）の前記圧力管遠位面に備えられている、
請求項１から１７のいずれか一項に記載の一体型モータカートリッジ（２）。
【請求項１９】
前記一体型モータカートリッジ内の温度測定のために、前記ハウジング内に配置された温度センサ（２８）をさらに備える、
請求項１から１８のいずれか一項に記載の一体型モータカートリッジ（２）。
【請求項２０】
前記案内管（１４）に沿って前記ハウジング（４）内に配置され、前記ハウジングの前記圧力管対向面上の前記ハウジングを貫通する第１開口および前記ハウジングの前記圧力管遠位面上の前記ハウジングを貫通する第２開口を有する冷却ダクト（２６）をさらに備える、
請求項１から１９のいずれか一項に記載の一体型モータカートリッジ（２）。
【請求項２１】
前記一体型モータカートリッジを前記ピペッティングシステムに対して固定可能な、前記ハウジング（４）の前記圧力管遠位面上に設けられた支持体（３２）をさらに備える、
請求項１から２０のいずれか一項に記載の一体型モータカートリッジ（２）。
【請求項２２】
前記支持体は、前記一体型モータカートリッジの整列のために、前記ピペッティングシステムの相補的接触面と係合するように適合された接触面を有し、かつ／または前記支持体は、前記一体型モータカートリッジの整列のために、前記ピペッティングシステムの凹部に導入されるように適合された案内部材（１２）を有する、
請求項２１に記載の一体型モータカートリッジ（２）。
【請求項２３】
前記支持体は、受け口（３４）、具体的にはピペッティングシステム上に提供される係止要素、具体的には係止ピンまたは係止ねじを導入する穴またはねじ穴を有する、
請求項２１または２２に記載の一体型モータカートリッジ（２）。
【請求項２４】
ピペット液を吸引および分注するピペッティングシステム（１００）であって、
少なくとも１つの圧力管（１０４）であり、前記少なくとも１つの圧力管それぞれが、ピペットチップ（１０６）をそれぞれの前記圧力管に結合するための結合デイバスを有する、圧力管（１０４）と、
前記少なくとも１つの圧力管のそれぞれに対して、前記ピペッティングシステムを、請求項１から２３のいずれか一項に記載のそれぞれの一体型モータカートリッジ（２）に連結するためのモータカートリッジ連結部と、を備える、
ピペッティングシステム（１００）。
【請求項２５】
前記モータカートリッジ連結部は、
前記一体型モータカートリッジ（２）の前記圧力管連結部（６）に気密に連結可能な、前記ピペッティングシステムの側面の圧力管連結部（１１４）を備える、
請求項２４に記載のピペッティングシステム（１００）。
【請求項２６】
前記ピペッティングシステムの側面の前記圧力管連結部（１１４）は、前記一体型モータカートリッジ（２）の前記圧力管連結部（６）の対応する受け口に挿入されるように適合される前記圧力管（１０４）の自由端を備える、
請求項２５に記載のピペッティングシステム（１００）。
【請求項２７】
前記圧力管（１０４）の前記自由端は、前記圧力管の周囲に配置されたＯリング（１１６）を備える、
請求項２６に記載のピペッティングシステム（１００）。
【請求項２８】
前記少なくとも１つの圧力管（１０４）のそれぞれに対して、前記一体型モータカートリッジ（２）を前記ピペッティングシステムに対して固定する係止要素（１１２）、具体的には係止ピンまたは係止ねじをさらに備える、
請求項２４から２７のいずれか一項に記載のピペッティングシステム（１００）。
【請求項２９】
ピペット液を吸引および分注するため一体型モータカートリッジ（２）を制御する構成とされた制御ユニット（１２０）をさらに備える、
請求項２４から２８のいずれか一項に記載のピペッティングシステム（１００）。
【請求項３０】
前記制御ユニット（１２０）は、前記一体型モータカートリッジ（２）の前記コイルアセンブリ（２０）に結合される適合とされ、前記ピストン（１６）の動きを制御する構成とされている、
請求項２９に記載のピペッティングシステム（１００）。
【請求項３１】
前記制御ユニット（１２０）は、前記一体型モータカートリッジ（２）の複数の磁界センサ（２２）に結合される適合とされ、前記磁界センサの測定値に基づいて、前記ピストン（１６）の位置を判定する構成とされている、
請求項２９または３０に記載のピペッティングシステム（１００）。
【請求項３２】
前記制御ユニット（１２０）は、前記一体型モータカートリッジ（２）のメモリ要素（３０）に結合される適合とされ、データ、具体的には校正データをデータメモリから読み出す構成とされている、
請求項２９から３１のいずれか一項に記載のピペッティングシステム（１００）。
【請求項３３】
ピペッティングシステムの一体型モータカートリッジの交換方法であって、
第１の一体型モータカートリッジを前記ピペッティングシステムから取り外すステップであり、前記第１の一体型モータカートリッジは請求項１から２３のいずれか一項に記載の構成とされ、前記取り外すステップは前記第１の一体型モータカートリッジの前記圧力管連結部を前記ピペッティングシステムの側面の圧力管連結部から開放するステップを含む、取り外すステップと、
第２の一体型モータカートリッジを前記ピペッティングシステムに挿入するステップであり、前記第２の一体型モータカートリッジは請求項１から２３のいずれか一項に記載の構成とされ、前記挿入するステップは前記第２の一体型モータカートリッジの前記圧力管連結部を前記ピペッティングシステムの側面の前記圧力管連結部に連結するステップを含む、挿入するステップと、
を含む方法。
【請求項３４】
前記第１の一体型モータカートリッジを取り外す前記ステップは、
前記第１の一体型モータカートリッジの前記電力接続部を前記ピペッティングシステムの側面の電力接続部から解放するステップと、
前記第１の一体型モータカートリッジのセンサデータ接続部を前記ピペッティングシステムの側面のセンサデータ接続部から解放するステップと、
前記第１の一体型モータカートリッジの前記ハウジングの前記圧力管遠位面の支持体を前記ピペッティングシステムから解放するステップと、のうちの少なくとも１つを含み、
前記第２の一体型モータカートリッジを挿入する前記ステップは、
前記第２の一体型モータカートリッジの前記電力接続部を前記ピペッティングシステムの側面の前記電力接続部に接続するステップと、
前記第２の一体型モータカートリッジのセンサデータ接続部を前記ピペッティングシステムの側面の前記センサデータ接続部に接続するステップと、
前記第２の一体型モータカートリッジの前記ハウジングの前記圧力管遠位面の支持体を前記ピペッティングシステムに連結するステップと、のうちの少なくとも１つを含む、
請求項３３に記載の方法。
【発明の詳細な説明】
【技術分野】
【０００１】
本発明は、ピペッティングシステムの分野およびその構成要素に関する。詳細には、本発明は、圧縮された空気容積を介してピペット液を吸引または分注するピペッティングシステムに関する。
【背景技術】
【０００２】
現代のピペッティングシステムは、非常に複雑な技術システムである。ピペッティングシステムの一例は、国際公開第２０１１／０８３１２５号に開示されている。現代のピペッティングシステムは、非常に少量のピペット液を高速かつ高精度に吸引し、分注する設計とされている。さらに、複数のピペッティング動作を同時に実施できるようにするため、複数のピペットチップが、格子状に配置されることが多い。１つずつのピペットチップを通して吸引および分注を行うため、付属の電気モータが利用される。この結果、小空間で高精度および高速度を確実にすることを狙う複雑な配置が作成されている。こうした複雑なピペッティングシステムにより、その保守は困難なことが多い。
【０００３】
したがって、ピペッティングシステムのための構成要素およびその保守が簡単なピペッティングシステムを提供することが望ましい。
【０００４】
本発明の例示的な実施形態は、ハウジングと、案内管と、複数の永久磁石を備え、圧力管対向面および圧力管遠位面を有し、案内管内に配置され、案内管に対して少なくとも１つの封止部を有するピストンと、電流が供給されると、ピストンを案内管の中で移動させるコイルアセンブリとを備え、案内管、ピストンおよびコイルアセンブリは、ハウジング内に配置される、ピペッティングシステムに連結し、ピペッティングシステムにて用いる一体型モータカートリッジを備える。一体型モータカートリッジは、ピストンの圧力管対向面上の案内管が、ピペッティングシステムの圧力管に気密に連結可能な圧力管連結部、およびコイルアセンブリに結合され、一体型モータカートリッジの外側に配置された電源に結合されるように適合された電力接続部をさらに備える。一体型モータカートリッジは、単一体としてピペッティングシステムとの間で導入および取り外しが可能である。
【先行技術文献】
【特許文献】
【０００５】
【特許文献１】国際公開第２０１１／０８３１２５号
【発明の概要】
【発明が解決しようとする課題】
【０００６】
本発明の例示的な実施形態は、ピペッティングシステムの電気モータを完全な単一体として交換可能にする。複数の永久磁石と一緒のピストン、案内管およびコイルアセンブリは、共通のハウジングに配置される事実により、これらの構成要素の全体を、機械的に単純なハウジングの交換によって交換可能とする。これに関し、圧力管連結部および電力接続部は、２つの明確に規定されたインタフェースを形成し、一方は、それを介して一体型モータカートリッジにエネルギーを供給し、他方は、ピストンにて生成された圧力をピペッティングシステムの圧力管に伝えるように適合される。したがって、一体型モータカートリッジは、電源の機能および空気圧の供給を、その規定されたインタフェースを介して可能にする比較的容易に交換可能な単一体である。ピペッティングシステムの電気モータは、このように、一体型の、完全な単一体として交換可能であり、ピペッティングシステムの保守を非常に単純化できる。
【０００７】
圧力管連結部を介してピストンの圧力管対向面上の案内管は、ピペッティングシステムの圧力管に気密に連結可能である。このように、一体型モータカートリッジの案内管およびピペッティングシステムの圧力管は、適宜それに連結されたピペットチップと一緒に、ピペット液を吸引および分注するための閉鎖圧縮空気容積を構成する。閉鎖圧縮空気容積という語は、ピペットチップが連結される場合、ピペットチップ内の開口、またはピペットチップの連結用のピペッティングシステムの圧力管の端部を除いて全ての面が閉鎖された容積を示す。したがって、閉鎖圧縮空気容積は、それを通してピペット液を吸引し分注できる規定された開口を有する。
【０００８】
コイルアセンブリ、案内管、および圧力管連結部は、一体型モータカートリッジのハウジング内に固定して配置される。その結果、一体型モータカートリッジは、ピペッティングシステムに連結されると、これらの構成要素は、ピペッティングシステムの残りに対して、固定された明確に規定された位置を有し、ピペッティングシステムの残りの構成要素と確実に協働できる。
【０００９】
ピストンは、案内管の中で移動可能である。具体的に、ピストンは、案内管の中で直線的に移動可能でもよく、それにより、圧力管連結部に向かって圧力管連結部から離れて移動する。したがって、ピストンおよび案内管のそれぞれは、圧力管対向面および圧力管遠位面を有する。また、ハウジングに関し、よって一体型モータカートリッジに関し、圧力管対向面および圧力管遠位面と言うことができる。
【００１０】
圧力管連結部は、案内管の一部でもよく、すなわち案内管と一体的に形成される単一体を構成、または案内管に隣り合う構造体でもよい。後者の場合、圧力管連結部および案内管は、互いに気密に連結され、その結果、上述の圧縮空気容積が、ピペッティングシステムの圧力管への連結上に作成される。
【００１１】
コイルアセンブリは、案内管に沿って配置された複数のコイルを含む。電流が複数のコイルを通って流れる場合、上記コイルは、ピストンの複数の永久磁石と相互に作用する。このように、ピストンは、当業者には既知であるように案内管内を素早く正確に移動できる。
【課題を解決するための手段】
【００１２】
機械的な取り扱いの容易さに加え、ハウジングは、一体型モータカートリッジ内の磁界の有効な遮蔽を提供できる。また、ハウジングは、一体型モータカートリッジ内で磁界用に用いられる。例えば、磁気帰路は、ハウジングを貫通し、したがってモータ力が増加され得る。コイルおよび／またはコイルを通る電流は、このようにより小さくされ得る。
【００１３】
さらなる実施形態において、圧力管連結部は、ピペッティングシステムに対して一体型モータカートリッジの位置を固定する設計とされている。言い換えると、圧力管連結部は、一体型モータカートリッジをピペッティングシステムに対して整列する設計にできる。このように、圧力管連結部は、気密な連結をピペッティングシステムの圧力管に提供するだけでなく、ピペッティングシステムにおける一体型モータカートリッジの正確な位置決めに貢献し、それにより、案内管の中のピストンとピペッティングシステムの圧力管の中の圧縮空気容積との間の正確な相互作用を可能にする。以下に詳述するように、一体型モータカートリッジは、圧力管連結部に加えて位置固定／配向目的のための他の構成要素を有し得る。
【００１４】
さらなる実施形態において、圧力管連結部は、圧力管のモータ対向面に対する受け口を有する。圧力管連結部の受け口は、凹部、具体的には円筒凹部でもよい。したがって、一体型モータカートリッジの部分上の中空円筒受け口であってもよい。こうした円筒受け口は、円筒圧力管を受けることに適している。
【００１５】
さらなる実施形態において、受け口は、圧力管の周囲に配置されたＯリング用の接触面を有する。Ｏリングは、ピペッティングシステムの圧力管と一体型モータカートリッジの圧力管連結部との間、よって間接的に一体型モータカートリッジの案内管に気密な連結を作成する比較的単純で効果的な手段である。Ｏリング用の圧力管連結部の接触面は、Ｏリングを所定の位置に保持する周囲の溝を有し得る。しかし、構成はまた、Ｏリングが、圧力管の設計にて特定の場所に設けられてもよい。この場合、Ｏリング用の接触面は、受け口の一部の面、具体的には円筒凹部の一部の面でもよい。
【００１６】
さらなる実施形態において、電力接続部がプリント回路として設計される。プリント回路は、すぐに一体型モータカートリッジに組み込むことが可能な頑丈で空間的に規定された構造体であり、一体型モータカートリッジの全体的に亘った頑健な構造に貢献する。
【００１７】
さらなる実施形態において、プリント回路は、案内管に沿ってハウジング内に配設される。この方法で、プリント回路は簡単に、これも案内管に沿って配置される複数のコイルに接続できる。
【００１８】
さらなる実施形態において、プリント回路は、一体型モータカートリッジの圧力管遠位端部でハウジングを貫通する。この方法では、一体型モータカートリッジの外側への電力接続部が、すぐにアクセス可能で、一体型モータカートリッジの他の外部領域ほど空間の面でそれほど厳しくない領域に備えられる。これは、特に、一体型モータカートリッジが、他の類似の一体型モータカートリッジの近くに格子状に配置される場合である。
【００１９】
さらなる実施形態において、一体型モータカートリッジは、ピストンの位置を判定するための、案内管に沿ってハウジング内に配置される複数の磁界センサをさらに含む。複数の磁界センサは、ハウジング内に固定して配置される。磁界センサは、例えばホールセンサでもよい。磁界センサは、案内管内のピストンの位置を判定するほか、ピストンを制御し監視するために、したがって、本情報に基づいてピペット液の吸引／分注のために効果的な手段である。一体型モータカートリッジに磁界センサを提供することにより、便利なことに電気モータと共に位置決めするこのシステムも交換可能である。
【００２０】
さらなる実施形態において、一体型モータカートリッジは、複数の磁界センサに結合され、一体型モータカートリッジの外側に配置されたピペッティングシステムの制御ユニットに結合されるように適合されたセンサデータ接続部をさらに含む。この方法では、それを介して一体型モータカートリッジがピペッティングシステムの全体的な構造に組み込まれる追加の規定されたインタフェースが提供される。したがって、ピストンの位置を判定するセンサデータは、ピペッティングシステムの制御ユニットが、利用可能なデータに基づいて複数のピペッティングユニットの吸引および分注動作を中心的に制御できる一体型モータカートリッジの外側に移動できる。しかしながら、一体型モータカートリッジ内で磁界センサのデータを評価することも可能である。この場合、センサデータ接続部が存在しない、またはピストンの位置だけが制御ユニットに伝達される短いデータ接続部が存在することが可能である。
【００２１】
さらなる実施形態において、一体型モータカートリッジは、メモリ要素をさらに含む。メモリ要素は、例えば、以下に詳述するように、センサデータを格納するため、または校正データを格納するためなど複数の方法で、使用できる。
【００２２】
さらなる実施形態において、メモリ要素は校正データを備え、校正データは、磁界センサの測定値とピストンの位置との間の相関関係を説明する。校正データは、案内管内のピストンの位置が、磁界センサの測定値と校正データとのそれぞれを考慮したものから非常に正確に決定でき得る。校正データの存在により、ピストンおよびコイルアセンブリからなる電気モータは、基準位置または同様の初期化ルーチンへのピストンの動きを必要とせず、直接、正確に操作できる。一体型モータカートリッジの電気モータは、一体型モータカートリッジのピペッティングシステムへの接続後すぐに使用できる。校正データは、一体型モータカートリッジの製造中に実施された校正プロセスの結果、すなわち一体型モータカートリッジのピペッティングシステムへの接続の前に実施された校正プロセスの結果でもよい。したがって、一体型モータカートリッジは、ピペッティングシステムへの接続の間、別個に調整および校正する必要がない、簡単に交換可能で、直接使用できる全ての単一体を構成する。磁界センサの測定値とピストンの位置との間の相関関係は、ルックアップテーブルの形態、または数式の形態での記述もしくは任意の他の適切な形態で存在してもよい。
【００２３】
さらなる実施形態において、校正データは、磁界センサの測定値上のコイルアセンブリの電流の流れの影響の記述をさらに含む。コイルアセンブリの電流の流れの影響のこの記述は、ルックアップテーブルの形態、または数式の形態での記述もしくは任意の他の適切な形態で存在し得る。この記載に基づいて、磁界センサの測定値上のコイルアセンブリの磁界の影響を計算にて排除できる。この方法で、案内管の中のピストンの位置を磁界センサの測定値から特に確実な方法で結論付けできる。具体的には、コイルアセンブリのコイルへの電流の流れを制御する制御ユニットは、この磁界の電流の流れの影響を測定値から直接排除できる。
【００２４】
さらなる実施形態において、校正データは、ピペッティングシステムの制御ユニットにて読み出すことができる。具体的に、校正データは、本明細書において説明するセンサデータ接続部を介して読み取り可能である。したがって、複数の磁界センサの測定値および校正データを送信するため、一体型モータカートリッジの空間の要求および複雑さを考慮すると都合の良いただ１つのデータ接続が提供される。しかしながら、校正データは、別の校正データの接続を介して読み取り可能でもあり得る。
【００２５】
さらなる実施形態において、コイルアセンブリは、案内管の周囲に円形に配置された複数のコイルを含む。案内管の周囲における、この直接の配置により、ピストンは、案内管内を高効率で移動できる。
【００２６】
さらなる実施形態において、ハウジングは、軟磁性材、具体的には軟磁性ニッケル鉄合金製である。軟磁性材、具体的には軟磁性ニッケル鉄合金は、磁気シールドとしてのほか、ハウジングを通過する磁気帰路を提供するために特に適切である。
【００２７】
さらなる実施形態において、ハウジングのサイズは、ピペッティングシステムの格子、具体的には標準の格子状に適合している。したがって、一体型モータカートリッジは、所定の格子、具体的には標準の格子の様々なピペッティングユニットを用いる全てのピペッティングシステムにおいて適切に使用できる。特に、格子状に配置された複数の圧力管を備えるピペッティングシステムでは、複数の一体型モータカートリッジが、互いに近接して配置できる。必要に応じ、個々の一体型モータカートリッジは、交換でき、それぞれのハウジングによって、生じる保守に対して交換される一体型モータカートリッジの周囲に位置する一体型モータカートリッジは影響を受けにくいという事実によっても、保守が単純化されている。
【００２８】
さらなる実施形態において、ハウジングは、ほぼ矩形の断面を有する。ほぼ矩形の断面により、一体型モータカートリッジは、ピペッティングシステムの格子状に、すぐに導入できる。ハウジングがほぼ矩形の断面を有する特徴は、この断面が一体型モータカートリッジの全体的な長さに沿って存在する必要があることを意味しない。むしろ、特徴は、断面が一体型モータカートリッジの主な伸張方向の少なくとも大部分に沿って、例えば一体型モータカートリッジの長さの少なくとも８０％に沿って、ほぼ矩形であることを示す。一体型モータカートリッジの主な伸張方向は、案内管の延長方向に対応している。
【００２９】
さらなる実施形態において、ハウジングは、５０ｍｍ２〜２００ｍｍ２、具体的には１００ｍｍ２〜１５０ｍｍ２、さらにより具体的には１３０ｍｍ２〜１４０ｍｍ２の断面積を有する。
【００３０】
さらなる実施形態において、ほぼ矩形の断面の長い側の側面は、１２ｍｍ〜２０ｍｍ、具体的には１４ｍｍ〜１８ｍｍ、さらにより具体的には１５ｍｍ〜１６ｍｍの長さを有する。
【００３１】
さらなる実施形態において、ほぼ矩形の断面の短い側の側面は、９ｍｍ未満、具体的には７ｍｍ〜９ｍｍ、さらにより具体的には８ｍｍ〜９ｍｍの長さを有する。９ｍｍより短いほぼ矩形の断面の短い側の側面の最大長さを考慮し、一体型モータカートリッジは、共通の格子状に適切に挿入できる。
【００３２】
さらなる実施形態において、ピストンは、圧力管対向面上の案内管に対して封止部を有する。さらに、ピストンは、圧力管遠位面の案内管に対して追加の封止部を有することも可能である。この方法では、案内管に対してピストンの２つの封止部が提供され、圧力管に向かう方向および圧力管から離れる方向にピストンの対称的な運動動作に対して提供できる。
【００３３】
さらなる実施形態において、ピストンの全走行路は、ハウジング内である。この方法で、ピストンは、ハウジングによって任意の位置で外部の影響に対して機械的に保護される。さらに、案内管上のピストンおよび他の構成要素が及ぼすディテントトルクは、この方法では最小化される。
【００３４】
さらなる実施形態において、ピストン用ストッパ、エアフィルタ、または一体型ストッパ／エアフィルタユニットが、案内管の圧力管遠位面に備えられている。ストッパにより、ピストンは、その動きを効果的に制限でき、案内管の利用される部分の規定された端部を有している。したがって、ピストンは、ハウジング内に提供される他の構成要素とは望まない方法で、確実に相互作用しない。エアフィルタは、案内管を、例えばほこりなどの外部から影響を受けないようにしておく効果的な手段であり、その結果、案内管に対する正確で封止されたピストンの動きが、長期間に亘って確実に保証され得る。
【００３５】
さらなる実施形態において、一体型モータカートリッジは、一体型モータカートリッジ内の温度測定のための、ハウジング内に配置された温度センサをさらに備える。さらに、一体型モータカートリッジは、温度測定値を送信するためのデータ接続部を含み得る。これは、別のデータ接続部でもよい。しかしながら、本明細書に記載された、磁界データ用に提供されたセンサデータ接続部もまた、温度測定値を送信するために使用可能である。温度センサを介して、一体型モータカートリッジ内の電気モータが過剰負荷を受けているか否かを判定できる。この情報に基づいて、コイルアセンブリのコイルを通る電流の流れは、一体型モータカートリッジの電気モータが損傷を受ける前に終了できる。特に一体型モータカートリッジの閉鎖されたシステムにおいて、その構成要素は、外部環境からハウジングにて遮蔽されて検査ができないので、温度を監視可能とすることは、特に役立つ。
【００３６】
さらなる実施形態において、一体型モータカートリッジは、案内管に沿ってハウジング内に配置され、ハウジングの圧力管対向面上のハウジングを貫通する第１開口、およびハウジングの圧力管遠位面上のハウジングを貫通する第２開口を有する冷却ダクトをさらに備える。したがって、冷却ダクト内の冷却空気流を介してハウジングの内部を効果的に冷却できる。一体型モータカートリッジは、一般にピペッティングシステム内に垂直に配置されることからして、煙突効果は、ハウジングの圧力管対向面から圧力管遠位面に冷却ダクトを通して引き起こされ、効果的なハウジング内部の冷却を提供できる。
【００３７】
本発明のさらなる実施形態において、一体型モータカートリッジは、一体型モータカートリッジをピペッティングシステムに対して固定可能な、ハウジングの圧力管遠位面上に設けられた支持体をさらに備える。したがって、ピペッティングシステムの残りに対して圧力管遠位面上で一体型モータカートリッジの適切な位置の固定を達成できる。上述の圧力管連結部による一体型モータカートリッジの位置の固定と共に、ピペッティングシステム内の一体型モータカートリッジの全体の確実で正確な位置決めが特に良く提供され得るように、その両端部での一体型モータカートリッジの位置の固定が達成される。
【００３８】
さらなる実施形態において、支持体は、一体型モータカートリッジの整列のために、ピペッティングシステムの相補的接触面と係合するように適合された接触面を有する。相補的接触面上の接触面の接合部により、２つの接触面を介して一体型モータカートリッジの非常に正確な整列が可能になる。
【００３９】
さらなる実施形態において、支持体は、一体型モータカートリッジの整列のために、ピペッティングシステムの凹部に導入されるように適合された案内部材を有する。案内部材は、ピペッティングシステムに当接できるが、案内部材が対向面に当接せずにピペッティングシステムの凹部に導入されることも可能である。言い換えると、案内部材は、凹部に遊びを持って配置されてもよい。この方法で、一体型モータカートリッジの挿入は、上述の相補的接触面の状況に比べ、単純化され得るが、にもかかわらず、ある程度の位置の固定が実施される。
【００４０】
さらなる実施形態において、支持体は、受け口、具体的にはピペッティングシステム上に提供される固定要素または係止要素、具体的には係止ピンまたは係止ねじを導入する穴またはねじ穴を有する。ピペッティングシステムの係止要素と一体型モータカートリッジの支持体内の対応する受け口との間の相互作用により、ピペッティングシステム内の一体型モータカートリッジの特に良い位置の固定が達成され得る。
【００４１】
本発明の例示的な実施形態は、ピペット液を吸引および分注し、それぞれが、ピペットチップをそれぞれの圧力管に結合する結合デバイスを有する少なくとも１つの圧力管を備え、本明細書の上述の任意の実施形態による、少なくとも１つの圧力管のそれぞれに対して、ピペッティングシステムをそれぞれの一体型モータカートリッジに連結するモータカートリッジ連結部を備えるピペッティングシステムをさらに備える。一体型モータカートリッジに関する上述の変更、追加の特徴および影響は、ピペット液を吸引および分注するピペッティングシステムに類似して適用できる。一体型モータカートリッジは、単一体として、ピペッティングシステムに挿入されてもよく、ピペッティングシステムから取り外されてもよい。一体型モータカートリッジが、ピペッティングシステムに挿入された場合、それはピペッティングシステムの構成部品となる。
【００４２】
さらなる実施形態において、ピペッティングシステムは、複数の圧力管を備える。具体的に、ピペッティングシステムは、格子状に配置された複数の圧力管、例えば９６本の圧力管を備え得る。ピペッティングシステムの全ての圧力管に対して、ピペッティングシステムをそれぞれの一体型モータカートリッジに連結するそれぞれのモータカートリッジ連結部が提供されることが可能である。しかしながら、圧力管の一部に対して、ピペッティングシステムをそれぞれの一体型モータカートリッジに連結するモータカートリッジ連結部が提供されるが、圧力管の別の部分は、電気モータの他の設計に連結可能であり、その内容は本発明に含まれる。
【００４３】
さらなる実施形態において、モータカートリッジ連結部は、ピペッティングシステムの側面に圧力管連結部を備え、それは、一体型モータカートリッジの圧力管連結部に気密に連結され得る。さらなる実施形態で、ピペッティングシステムの側面の圧力管連結部は、一体型モータカートリッジの圧力管連結部の対応する受け口に挿入されるように適合された圧力管の自由端を備える。圧力管の自由端は、例えばピペッティングシステムのハウジングから突出する圧力管の独立した端部でもよい。具体的に、自由端は、ピペッティングシステムのハウジングの内側で突出してもよい。したがって、ピペッティングシステムの内部の一体型モータカートリッジは、圧力管の自由端上に配置されてもよい。圧力管の自由端は、圧力管の周囲に配置されたＯリングを備え得る。
【００４４】
さらなる実施形態において、ピペッティングシステムは、少なくとも１つの圧力管のそれぞれに対して、それにより一体型モータカートリッジを、ピペッティングシステムに対して固定できる固定要素または係止要素、具体的には係止ピンまたは係止ねじをさらに備える。係止要素は、一体型モータカートリッジの支持体の対応する受け口、具体的には穴またはねじ穴に挿入または螺合できる。係止要素を一体型モータカートリッジの支持体の案内部材と係合もでき、この結果、位置の固定をもたらす。例えば、係止ねじは、案内部材が固定されるように、その端部を一体型モータカートリッジの支持体の案内部材に当接させて位置付けられ得る。
【００４５】
さらなる実施形態において、ピペッティングシステムは、ピペット液を吸引および分注するため一体型モータカートリッジを制御する構成とされた制御ユニットを備える。
【００４６】
さらなる実施形態において、制御ユニットは、一体型モータカートリッジのコイルアセンブリに結合される適合とされ、ピストンの動きを制御する構成とされている。具体的に、制御ユニットは、一体型モータカートリッジの電力接続部に接続され、対応する電流を電力接続部を介して一体型モータカートリッジのコイルアセンブリのコイルに供給でき、それにより、ピストンの動きを制御できる。この場合、コイルを通る電流の量は、一体型モータカートリッジの外側の制御ユニットにて決定される。制御ユニットは、制御信号を一体型モータカートリッジに送信し、一体型モータカートリッジが制御信号に従って、電力接続部を介してコイルへの電流のレベルを設定可能である。
【００４７】
さらなる実施形態において、制御ユニットは、一体型モータカートリッジの複数の磁界センサに結合される適合とされ、磁界センサの測定値に基づいて、ピストンの位置を決定する構成とされている。具体的に、制御ユニットは、磁界センサの測定値を受信するための、一体型モータカートリッジのセンサデータ接続部に接続されてもよい。
【００４８】
さらなる実施形態において、制御ユニットは、一体型モータカートリッジのメモリ要素に結合される適合とされ、データ、具体的には、校正データをメモリ要素から読み出す構成とされている。この方法で、制御ユニットは、一体型モータカートリッジ内に存在するデータにアクセスできる。校正データの支援により、制御ユニットは、ピストンの非常に正確な動きを容易にするように、一体型モータカートリッジのコイルアセンブリのコイルを制御できる。
【００４９】
本発明の例示的な実施形態は、第１の一体型モータカートリッジをピペッティングシステムから取り外すステップであって、第１の一体型モータカートリッジは、本明細書の上述の実施形態のいずれかに従い、取り外すステップは、第１の一体型モータカートリッジの圧力管連結部をピペッティングシステムの側面の圧力管連結部から開放することを含むステップと、第２の一体型モータカートリッジをピペッティングシステムに挿入するステップであって、第２の一体型モータカートリッジは本明細書の上述の実施形態のいずれかに従い、挿入するステップは、第２の一体型モータカートリッの圧力管連結部をピペッティングシステムの側面の圧力管連結部に連結することを含むステップと、を含むピペッティングシステムの一体型モータカートリッジの交換方法をさらに含む。
【００５０】
さらなる実施形態において、第１の一体型モータカートリッジを取り外すステップは、第１の一体型モータカートリッジの電力接続部をピペッティングシステムの側面の電力接続部から解放するステップと、第１の一体型モータカートリッジのセンサデータ接続部をピペッティングシステムの側面のセンサデータ接続部から解放するステップと、第１の一体型モータカートリッジのハウジングの圧力管遠位面上の支持体をピペッティングシステムから解放するステップと、のうちの少なくとも１つを含む。第２の一体型モータカートリッジを挿入するステップは、第２の一体型モータカートリッジの電力接続部をピペッティングシステムの側面の電力接続部に接続するステップと、第２の一体型モータカートリッジのセンサデータ接続部をピペッティングシステムの側面のセンサデータ接続部に接続するステップと、第２の一体型モータカートリッジのハウジングの圧力管遠位面上の支持体をピペッティングシステムに連結するステップと、のうちの少なくとも１つをさらに含み得る。
【００５１】
本発明のさらなる例示的な実施形態は、図面を参照して以下で説明する。
【図面の簡単な説明】
【００５２】
【図１】本発明の例示的な実施形態による一体型モータカートリッジを示す斜視図である。
【図２】図１の一体型モータカートリッジの長手方向断面図である。
【図３】図１の一体型モータカートリッジを横方向断面図に示す。
【図４】本発明の例示的な実施形態による、図１の一体型モータカートリッジが挿入されるピペッティングシステムを示す。
【図５】図４のピペッティングシステムの詳細を示す拡大図である。
【図６】図４のピペッティングシステムの選択された構成要素を示すブロック図である。
【図７】本発明のさらなる例示的な実施形態による、一体型モータカートリッジの長手方向断面図である。
【発明を実施するための形態】
【００５３】
図１は、本発明の例示的な実施形態による一体型モータカートリッジ２を、外側からの斜視図として示す。一体型モータカートリッジ２は、ハウジング４を備える。ハウジング４は、ほぼ直方体形状を有する。ハウジング４は、図１の斜視図で、下部左から上部右である、主な伸張方向を有する。ハウジング４は、圧力管対向端部４０および圧力管遠位端部４２を有する。ハウジング４の主な伸張方向は、圧力管対向端部４０から圧力管遠位端部４２である。主な伸張方向に対して垂直なハウジング４を貫通する断面で、ハウジング４は、ほぼ矩形の断面を有する。
【００５４】
一体型モータカートリッジ２は、圧力管対向端部４０に圧力管連結部６を有する。以下に詳細に説明するように、圧力管連結部６は、ピペッティングシステムの圧力管を導入できる円筒受け口を有する。圧力管遠位端部４２で、一体型モータカートリッジ２は、案内部材１２を有する。案内部材１２は、主な伸張方向に沿ったハウジング４の伸張であるが、ハウジング４より断面が非常に小さい。案内部材１２により、以下に詳細に説明するように、一体型モータカートリッジ２は、ピペッティングシステム内に位置固定できる。
【００５５】
一体型モータカートリッジ２は、電力接続部８をさらに備える。電力接続部８は、図１に示すように、ハウジング４内に備えられたコイルに電力を供給し、ハウジング４から突出するプリント回路である。プリント回路８は、外部動力源または電源に接続するように適合される。さらに、一体型モータカートリッジ２は、センサデータ接続部１０を備える。ハウジング４の内側のセンサデータ接続部１０は、複数の磁界センサに接続され、図１に示すようにハウジング４から突出して、磁界センサの測定値をハウジング４の外側に配置された制御ユニットに送信する。
【００５６】
図２は、図１の一体型モータカートリッジ２を貫通する長手方向断面図を示す。具体的に、図２は、一体型モータカートリッジ２の上部平面として図１に示す平面に平行である長手方向切断面に沿って一体型モータカートリッジ２を貫通する長手方向断面図を示す。図２は、ハウジング４をその中に配置されたその構成要素と一緒に示すほか、ハウジング４から突出する電力接続部８およびハウジング４から突出する案内部材１２を示す。
【００５７】
ハウジング４には、円筒状の案内管１４がほぼ中央に配置される。案内管１４は、圧力管対向端部４０の圧力管連結部６内で終了する。図２の例示的な実施形態では、圧力管連結部６は、案内管１４と一体に形成される。具体的に、案内管１４の端部は、圧力管連結部６を形成する。圧力管遠位端部４２には、ストッパ／エアフィルタユニット３０が備えられている。ストッパ／エアフィルタユニット３０は、案内管１４への埃の侵入を防ぎ、案内管１４内に配置され、以下に説明するピストンの動作経路の端部を形成する。ハウジング４内での案内管１４の中央への配置は、以下に説明するピストンの封止部への負荷をできるだけ均一にすることに役立つ。
【００５８】
案内管の周囲には、１つだけに対応する参照番号が与えられた複数のコイル２０が配置されている。図２の例示的な実施形態では、２０個のコイル２０がある。コイル２０は、案内管１４の周囲に円形に配置される。それは、案内管１４に沿って互いに隣り合って配置され、例えば隣り合って、案内管１４上を摺動する。複数のコイル２０は、一方で、圧力管対向端部４０から圧力管遠位端部４２にコイル２０に沿って延び、他方で、図２および図１にも示すように、ハウジング４から突出する電力接続部８に接続される。エネルギーは、電力接続部８を介してコイル２０に供給される。
【００５９】
図２の例示的な実施形態において、電力接続部８はプリント回路である。具体的には、コイル２０に電流を供給するため、導体トラックが、コイル２０それぞれに対して電力接続部８に設けられる。それぞれの複数のコイル２０にプリント回路８の単一の導体トラックから電流が供給されることも可能である。具体的に、三相電流がプリント回路８を介して利用可能にされ、三相電流のうちの１つが各コイル２０に供給可能である。
【００６０】
案内管１４は、その中に配置されたピストン１６を有する。ピストン１６は、圧力管対向面および圧力管遠位面の両方に封止部２４を有する。これら封止部２４により、一方で、ピストン１６と圧力管連結部６との間の空気容積、他方で、ピストン１６とストッパ／エアフィルタユニット３０との間の空気容積が、互いに分離される。ピストン１６は、６個の永久磁石１８を備え、そのそれぞれが、ピストン１６に沿って同じ長さである。永久磁石１８は、ピストン１６内に棒状に互いに向かい合って配置される。永久磁石１８の例示的な配置は、ＳＮ−ＮＳ−ＳＮ−ＮＳ−ＳＮ−ＮＳであり、ハイフンが個々の永久磁石の間の境界を示す。図２では、永久磁石１８の間の境界を二重線で示している。永久磁石１８によって、ピストン１６は、それぞれ対向する極の配置により、全く異なる方法で形成される交互のＳ極とＮ極とを用いて磁界を生成する。
【００６１】
さらに、ハウジング４は、その中に配置された複数の磁界センサ２２を有する。磁界センサ２２は、複数のコイル２０の外側でハウジング４の壁に沿って、案内管１４に沿って配置される。合計２０個の磁界センサが、案内管１４に沿って配置され、明瞭にするために１つのみに参照番号２２を示している。この例では、複数の磁界センサが、ホールセンサである。ホールセンサは、一体型モータカートリッジ２のそれぞれの位置で優勢な磁界を測定する。以下に説明するように、測定値を用いてピストン１６の位置を判定できる。
【００６２】
一体型モータカートリッジ２のハウジング４では、冷却ダクト２６がさらに配置される。冷却ダクト２６は、複数の磁界センサ２２に比べて案内管１４に対する反対側にハウジング４の壁に沿って配設される。冷却ダクト２６は、ほぼハウジング４の圧力管対向端部４０からハウジング４の圧力管遠位端部４２に延びている。冷却ダクト２６は、その両端部に、ハウジング４を貫通する開口を有し、それによって、冷却風が、外から冷却ダクト２６を通って流れることができる。
【００６３】
一体型モータカートリッジ２の動作は、以下に説明する。電流は、複数のコイル２０に電力接続部８を介して供給される。適切な電流を複数のコイル２０に供給することで、機械的力をピストン１６の永久磁石１８に及ぼし、ピストン１６を案内管１４の中で移動して、時間変化する磁界が生成される。ピストンの所望の動きを達成するため、複数のコイル２０を介してどのように電流の流れを構成するかは当業者には既知である。したがって、ピストン１６の動きとコイル２０を介して供給される電流との間の関係のより詳細な説明は、省略してもよい。
【００６４】
動作の間、複数の磁界センサは、ハウジング４内のそれぞれの位置で優勢な磁界を測定する。磁界センサは、一体型モータカートリッジ２の外側に位置する制御ユニットに、図１を参照して上述したセンサデータ接続部１０を介して測定値を送信する。この制御ユニットは、磁界センサ２２の測定値からピストン１６の位置を判定できる。この情報に基づいて、かつ所望の吸引または分注動作に基づいて、制御ユニットは対応する電流を複数のコイル２０に電力接続部８を介して供給し、その結果、ピストン１６の所望の動作が生じる。したがって、制御ループは、ピストン１６、磁界センサ２２、制御ユニット、電力接続部８、およびコイル２０の間で形成され、案内管１４内のピストン１６の非常に正確な位置決めを可能にする。
【００６５】
図３は、図１および図２の一体型モータカートリッジ２を横方向断面図に示す。図３の横方向切断面は、図２の長手方向切断面に対して直交する。具体的に、図３の横方向切断面は、図２の指定された軸Ａ−Ａに沿って延びる。また、図３は、案内管１４、案内管１４の周囲に配置されたコイル２０のうちの１つ、電力接続部８、磁界センサ２２のうちの１つ、および冷却ダクト２６を示す。図３は、冷却ダクト２６が、電力接続部８に近接して配置されていることを適切に示している。このように、冷却ダクト２６は、廃熱のほとんどが生成される電力接続部８に近く、かつコイル２０に近い位置に位置する。
【００６６】
図３の横方向切断面には、温度センサ２８および記憶またはメモリ要素３６がさらに配置される。温度センサ２８は、一体型モータカートリッジ２のハウジング４内の温度を測定する。一体型モータカートリッジ２の校正データは、メモリ要素３６に格納される。校正データには、磁界センサ２２の測定値とピストン１６の位置との関係の記述が含まれる。さらに、校正データは、コイル２０を通る電流の流れによる磁界センサ２２によって検出された磁界の構成要素の記述を含む。したがって、校正データの支援により、制御ユニットは、計算によって磁界センサ２２の測定値からコイル２０によって引き起こされた磁界の構成要素を取り除くことができ、残りの磁界の構成要素からピストン１６の位置を計算できる。校正データは、磁界を測定する際の複数のアーティファクト、例えば磁界センサのオフセットの影響、磁界センサ２２の間での名目位置に対する位置の不正確さ、および永久磁石１８の間での名目位置に対する位置の不正確さなどを記述できる。校正データは、所与の特定の一体型モータカートリッジ２に対して、その製造中に決定され得る。
【００６７】
磁界センサ２２、温度センサ２８およびメモリ要素３６は、センサデータ接続部１０に接続される。メモリ要素３６内に存在する磁界センサ２２および温度センサ２８の測定値ならびに校正データは、一体型モータカートリッジ２の外側に配置された制御ユニットにて読み出される。制御ユニットは、磁界センサ２２の測定データおよび校正データに基づいて、コイル２０を通る電流を統制／制御して、必要に応じてピストン１６を移動する設計とされている。
【００６８】
図４は、図１〜３の本発明の例示的な実施形態によるピペッティングシステム１００に挿入された一体型モータカートリッジ２を示す。ピペッティングシステム１００への連結およびピペッティングシステム１００内での使用を通して、一体型モータカートリッジ２は、ピペッティングシステム１００の一部となっている。図４は、図２と同様の長手方向切断面の一体型モータカートリッジ２を示す。その結果、ピペッティングシステムも、この長手方向切断面に示される。
【００６９】
ピペッティングシステム１００は、一体型モータカートリッジ２が配置されるハウジング１０２を備える。さらに、ピペッティングシステム１００は、圧力管１０４およびピペットチップ１０６を備える。圧力管１０４は、ハウジング１０２の中から、具体的には、一体型モータカートリッジ２からハウジング１０２の外側の位置に延びている。圧力管１０４は、ピペッティングシステムのハウジング１０２に固定して連結される。圧力管１０４は、図５の拡大詳細図を参照して以下に説明するように、その一方の端部で一体型モータカートリッジの圧力管連結部６に連結される。その他方の端部で、圧力管１０４は、ピペットチップ１０６に連結される。ピペットチップ１０６は、取り外し可能に圧力管１０４に連結される。具体的に、ピペットチップ１０６は、例えば第１のピペット液とピペットチップの考え得る汚染のため、第２のピペット液の乱されないピペッティングが保証できない場合に、都合よく交換できる。
【００７０】
ピペットチップ１０６を通るピペット液の吸引および分注は、一体型モータカートリッジ２の案内管１４、圧力管１０４およびピペットチップ１０６にて形成された圧縮空気容積の空気圧の増加および減少それぞれにて影響を受ける。空気圧の増加または減少は、案内管１４内のピストン１６の移動によってもたらされる。
【００７１】
図４の例示的な実施形態において、一体型モータカートリッジ２は、以下の方法で、ピペッティングシステム１００に機械的に連結される。一体型モータカートリッジ２の圧力管連結部６、すなわち本例では一体型モータカートリッジ２の案内管１４の端部は、圧力管１０４の独立した端部に配置される。これは、図５を参照して以下でより詳細に説明する。さらに、案内部材１２は、受け口１０８内に配置される。受け口１０８は、案内部材１２より大きい。案内部材１２は、受け口１０８の表面に当接しない。しかし、案内部材１２は、受け口１０８の規定された領域内に配置される。
【００７２】
ピペッティングシステム１００は、ピペッティングシステム１００のねじ山１１２に配置される係止ねじ１１０を有する。具体的に、係止ねじ１１０は、ねじ山１１２を介して螺合され、その結果、端部が案内部材１２と係合する。係止ねじ１１０の案内部材１２との係合および係止ねじ１１０のねじ山１１２内での摩擦係合により、一体型モータカートリッジ２の圧力管遠位端部は、ピペッティングシステム１００内で位置固定される。
【００７３】
図５は、一体型モータカートリッジ２と圧力管１０４との間の連結を、より詳細に示す。具体的に、図５は、図４に示す連結の拡大図である。図５に示す領域は、図４の円に示す領域Ｂに対応する。
【００７４】
圧力管１０４は、一体型モータカートリッジ２の側に自由端１１４を有する。自由端１１４の周囲にＯリング１１６が取り付けられている。圧力管連結部６は、自由端１１４にプラグ接続されている。この取り付けの結果、ピペッティングシステム１００のハウジング１０２に対する一体型モータカートリッジ２の位置は固定されている。さらに、Ｏリング１１６は、圧力管１０４の自由端１１４と圧力管連結部６との間に気密な連結を提供する。したがって、一体型モータカートリッジ２が圧力管１０４に連結されると、ピペットチップの開口を除いて閉鎖され、案内管１４の一部に、圧力管１０４およびピペットチップ１０６からなる閉鎖容積が生成される。
【００７５】
図４および５を参照して上述した、一体型モータカートリッジ２とピペッティングシステム１００との間の機械的な連結に加え、一体型モータカートリッジ２はまた、電力接続部８およびセンサデータ接続部１０を介してピペッティングシステム１００に接続される。電力接続部８は、図４に示すが、センサデータ接続部１０は、図４および図５の切断面の外側にある。
【００７６】
図６は、一体型モータカートリッジ２の電気モータを制御する一体型モータカートリッジ２とピペッティングシステム１００との間の連結をブロック図に示す。図６のブロック図は、機能的な構成要素の一部に基づいた図４および図５のピペッティングシステムの抽象的な表示である。一体型モータカートリッジ２に含まれる構成要素は、破線の枠内に示すが、一体型モータカートリッジ２の外側に位置する構成要素は、破線の枠の外側に示されている。全ての構成要素は、ピペッティングシステム１００に属している。
【００７７】
一体型モータカートリッジ２は、ピペッティングシステム１００の制御ユニット１２０に電力接続部８およびセンサデータ接続部１０を介して接続される。制御ユニット１２０は、電源１３０にさらに接続される。ピストン１６の所望の移動に基づいて、制御ユニット１２０は、コイル２０に供給される電流を決定する。制御ユニット１２０は、エネルギーを電源１３０から与えられ、所望のピストン１６の移動のため必要な電流がコイル２０に電力接続部８を介して供給されるように、電源１３０から受け取るエネルギーを制約する。
【００７８】
制御ユニット１２０は、複数の磁界センサ２２およびメモリ要素３６にセンサデータ接続部１０を介して接続される。メモリ要素３６は、ピストン１６の位置測定に関する校正データを包含する。校正データは、制御ユニット１２０によって読み出され、ピストン１６の位置を決めるため用いられる。磁界センサ２２は、磁界センサ２２の位置で現在優勢な磁界を測定する。したがって、測定値は、一時的な磁界の空間分布を示す。この磁界は、２つの主な構成要素、すなわちコイル２０を通る電流にて生成された構成要素、およびピストン１６の永久磁石にて生成された構成要素から成る。制御ユニット１２０は、校正データを用いて、磁界の第１に言及した構成要素を少なくともその相当程度を測定値から取り除く。さらに、制御ユニット１２０は、ピストン１６の位置を第２の構成要素から校正データにより計算する。第２の構成要素は、ピストン１６内の永久磁石の交互の向きにより強い周期的な寄与がある。校正データは、磁界センサ２２のオフセットの影響、案内管に沿った均一な分布からの磁界センサ２２の位置の偏差ならびに均一な分布からの永久磁石およびその極の配置の偏差の記述を含む。校正データの支援により、制御ユニット１２０は、磁界センサ２２の測定値を調製し、ピストン１６の位置を高精度で決定する。このように、制御ユニット１２０は、ピストン１６の位置に関するフィードバックを受け取り、それにより、ピストン１６を案内管内で非常に正確に移動できる。
【００７９】
図７は、本発明のさらなる実施形態による一体型モータカートリッジ２を長手方向断面図に示す。図７の一体型モータカートリッジ２は、図１〜図３の一体型モータカートリッジ２に非常に類似している。さらに、図７の長手方向切断面は、図２の長手方向切断面に対応している。以下に詳細に説明しない図７の一体型モータカートリッジ２のこれらの特徴に対して、図１〜図３、特に図２の上記説明を参照する。
【００８０】
図７の一体型モータカートリッジ２は、案内部材１２を有さないが、ピペッティングシステムに対する位置を固定するためハウジング４の圧力管遠位端部４２に別の種類の支持体を有している。図７の一体型モータカートリッジ２は、ねじ穴３４を有する支持体３２を備える。ピペッティングシステムの係止ねじは、ねじ穴３４に螺合され得る、したがって、ハウジング４の圧力管遠位端部４２でピペッティングシステムに対して一体型モータカートリッジ２を固定できる。
【００８１】
上述の例示的な実施形態の一体型モータカートリッジは、完全な単一体としてピペッティングシステムの電気モータの交換を可能にするので、ピペッティングシステムの保守費用を低減できる。特に有利なことは、上述の一体型モータカートリッジは、ピペッティング動作のため非常に高速でピストンを前後に移動する比較的新しいピペッティングシステムとして使用でき、ピストンのストロークは、吸引または分注される液の量より何倍も速く、液の吸引および分注は、高い動力で組み立てられる圧力波にて生じ得る。高い動力にて特徴付けられるこうしたシステムでは、特に、電気モータの構成要素の摩損が高い可能性があり、ピペッティングシステムの性能に負の影響がある。したがって、こうしたピペッティングシステムの保守は非常に重要である。こうした高い動力のピペッティングシステムは、国際公開第２０１７／０１０７０８４号に開示されている。上述の用途の内容は、参照により本特許出願に完全に組み入れられる。具体的に、本特許出願のピペッティングシステムは、個々または任意の組み合わせで、国際公開第２０１７／０１０７０８４号の特許請求の範囲の全ての特徴でさらに実施できる。
【００８２】
本発明は、例示的な実施形態を参照して説明しているが、本発明の範囲から逸脱することなく、様々な変更が可能であり、等価物が使用可能であることは、当業者には理解されよう。本発明は、特定の記載の実施形態によって制限されない。むしろ、添付の特許請求の範囲にて網羅される全ての実施形態を含む。
【図１】
2020531243.tif 000003
【図２】
2020531243.tif 000004
【図３】
2020531243.tif 000005
【図４】
2020531243.tif 000006
【図５】
2020531243.tif 000007
【図６】
2020531243.tif 000008
【図７】
2020531243.tif 000009
【国際調査報告】
2020531243.tif 000010
2020531243.tif 000011
2020531243.tif 000012
2020531243.tif 000013